(57)【要約】【課題】  目的地までの移動に関するユーザの利便性を向上させる無線通信装置を提供する。【解決手段】  サーバ１に接続された無線ＬＡＮのアクセスポイント３無線通信可能な無線通信装置４であって、目的地を設定するための操作入力を受ける入力手段４３と、前記アクセスポイント３から、当該アクセスポイント３の位置を示した局位置情報を含むビーコンを取得する取得手段４４と、前記局位置情報を参照し、現在位置が前記目的地の周辺エリアであるか否か判定する判定手段４１と、前記判定手段４１で現在位置が前記目的地の周辺エリアであると判定された場合、アラーム音を出力する出力手段４９とを具備する。【選択図】      図１
2010081412.tif 000002
【特許請求の範囲】
【請求項１】
サーバに接続された無線ＬＡＮのアクセスポイントと無線通信可能な無線通信装置であって、
目的地を設定するための操作入力を受ける入力手段と、
前記アクセスポイントから、当該アクセスポイントの位置を示した局位置情報を含むビーコンを取得する取得手段と、
前記局位置情報を参照し、現在位置が前記目的地の周辺エリアであるか否か判定する判定手段と、
前記判定手段で現在位置が前記目的地の周辺エリアであると判定された場合、アラーム音を出力する出力手段と、
を具備することを特徴とする無線通信装置。
【請求項２】
前記取得手段は、交通機関内に設けられた前記アクセスポイントから、次の到着予定駅を通知する駅情報を取得し、
前記判定手段は、前記取得手段で取得した前記駅情報と前記入力手段で操作入力を受けた前記目的地とが合致するか否か判定することで、現在位置が前記目的地の周辺エリアであるか否か判定する
ことを特徴とする請求項１記載の無線通信装置。
【請求項３】
前記取得手段は、交通機関内に設けられた前記アクセスポイントから、現在の最寄り駅を通知する最寄り駅情報を取得し、
前記判定手段は、前記最寄り駅情報で示される前記現在の最寄り駅が前記入力手段で操作入力を受けた前記目的地の１つ前の駅であるか否か判定することで、現在位置が前記目的地の周辺エリアであるか否か判定する
ことを特徴とする請求項１記載の無線通信装置。
【請求項４】
前記入力手段は、前記アラーム音の出力開始時間を設定するための操作入力を受け、
前記出力手段は、前記判定手段で現在位置が前記目的地の周辺エリアであると判定された後、設定された前記出力開始時間により定まる所定時間の経過に伴って前記アラーム音を出力する
ことを特徴とする請求項２記載の無線通信装置。
【請求項５】
音声データを再生し、コンテンツ音声を前記出力手段で出力させる再生手段を更に具備し、
前記出力手段は、前記アラーム音の出力に伴い、前記コンテンツ音声の出力音量を下げることを特徴とする請求項４記載の無線通信装置。
【請求項６】
前記再生手段は、前記アラーム音の出力に伴い、前記音声データの再生処理を停止することを特徴とする請求項５記載の無線通信装置。
【請求項７】
前記局位置情報は、前記ビーコンのユーザデータエリアに書き込まれることを特徴とする請求項１記載の無線通信装置。
【発明の詳細な説明】
【技術分野】
【０００１】
本発明は、無線通信装置に関する。
【背景技術】
【０００２】
無線通信では、ＢＳＳ（Ｂａｓｅ  Ｓｅｒｖｉｃｅ  Ｓｅｔ）と呼ばれる小さなエリアの集合によって広いサービスエリアが構成される。１つのＢＳＳを１つのアクセスポイントが管理し、無線通信端末はアクセスポイントを介して有線ネットワークに接続された通信サービスを利用する。
【０００３】
これらの無線通信装置の中には、アクセスポイントから現在位置を取得する機能を備えた装置がある。例えば特許文献１には、所定の路線（高速道路や鉄道など）をユーザが予め通ることがわかっている場合、無線接続する基地局（アクセスポイント）の情報を予め備えており、ＧＰＳ（Ｇｌｏｂａｌ  Ｐｏｓｉｔｉｏｎｉｎｇ  Ｓｙｓｔｅｍ）機能等によって取得される位置情報に基づいて、その位置情報に対応して優先的に無線通信する基地局の情報が取得できる装置が開示されている。
【特許文献１】特開２００２−１６５２５３号公報
【発明の開示】
【発明が解決しようとする課題】
【０００４】
しかしながら、特許文献１のような従来の装置では、所望の目的地到着前に現在位置が目的地付近である旨を通知することが考慮されていない。よって、ユーザは何時頃に目的地に到着するのかを自ら調べる必要があり、利便性に欠ける。
【０００５】
そこで、本発明は、目的地までの移動に関するユーザの利便性を向上させることのできる無線通信装置を提供することを目的とする。
【課題を解決するための手段】
【０００６】
上記目的を達成するために、本発明は、サーバに接続された無線ＬＡＮのアクセスポイントと無線通信可能な無線通信装置であって、目的地を設定するための操作入力を受ける入力手段と、前記アクセスポイントから、当該アクセスポイントの位置を示した局位置情報を含むビーコンを取得する取得手段と、前記局位置情報を参照し、現在位置が前記目的地の周辺エリアであるか否か判定する判定手段と、前記判定手段で現在位置が前記目的地の周辺エリアであると判定された場合、アラーム音を出力する出力手段と、を具備することを特徴とする。
【発明の効果】
【０００７】
本発明によれば、目的地までの移動に関するユーザの利便性を向上させる無線通信装置を提供することができる。
【発明を実施するための最良の形態】
【０００８】
以下、図面を参照して本発明による無線通信装置の実施形態を説明する。
図１は、本発明の無線通信装置の実施形態に係る無線ＬＡＮ（Ｌｏｃａｌ  Ａｒｅａ  Ｎｅｔｗｏｒｋ）通信機能を有する情報機器（無線通信装置）を含む無線通信システムの構成を示すブロック図である。無線通信装置としては、例えばポータブルナビゲーションシステム装置等が用いられる。
【０００９】
図１において本実施例の無線通信システムでは、サーバ装置１、ネットワーク網２、サーバ装置１とネットワーク網２を介して接続されるアクセスポイント３、およびアクセスポイント３と無線ＬＡＮ通信する無線通信装置４を備えている。無線通信装置４は、アクセスポイント３とネットワーク網２を介してサーバ装置３にアクセスする機能を有する。
【００１０】
本実施例では、アクセスポイント３と無線通信装置４との間は、例えば国際標準であるＩＥＥＥ８０２．１１の通信プロトコルに準じた無線ＬＡＮ通信を行う。サーバ装置１は、アクセスポイント３を介して無線通信装置４に対してデータパケットを生成して送信する。このサーバ装置１は、鉄道、バス、または各駅等の交通機関内に設置されたアクセスポイント３に対して駅情報を送る。ここで駅情報とは、アクセスポイントの現在位置周辺に存在する最寄り駅やその前後の駅、各駅の時刻表などを示した駅に関する情報である。
【００１１】
アクセスポイント３は、各無線通信装置４との間のパケット伝送のブリッジとしてデータパケットを送受信し、また、サーバ装置１から受けた現在位置を通知するための情報が含まれたビーコン電波（以下、単にビーコンと称する。）を一定の時間間隔で無線通信装置４へ送信する。本実施例の無線通信装置４は、アクセスポイント３から取得したビーコンに含まれる情報を参照し、現在位置が設定された目的地の近辺であるか否か判定する機能と、現在位置が所望の目的地近辺であると判定された場合に、その旨を通知する機能を有する。
【００１２】
これにより、目的地までの移動をしている状況において、ユーザに対し現在所望の目的地周辺に到着している旨を把握させることができ、目的地までの移動に関するユーザの利便性を向上させることができる。
【００１３】
次に、図２を参照しながら本実施例の無線通信装置４の構成の構成について説明する。図２は、本実施例の無線通信装置４の構成を示したブロック図である。本実施例の無線通信装置４は、制御部４１、記憶部４２、入力部４３、無線通信部４４、外部装置接続部４５、タイマ４６、アラーム音生成部４７、表示部４８、及びスピーカ４９等から構成される。
【００１４】
制御部４１は、記憶部４２に記憶されているプログラムに従い、無線通信装置４の動作制御を行う。記憶部４２は、電気信号の読み込み及び書き込みを行い、制御部４１に作業エリアを提供する記憶装置の主メモリとして利用されるＲＡＭ（図示していない）や、各種プログラム、アクセスポイント３または外部装置から取得した情報、及びコンテンツデータ等を格納するメモリ（図示していない）を備える。
【００１５】
入力部４３は、ユーザからの操作入力を受ける操作キー等を備える。入力部４３では、目的地、出発地、及び出発時刻の入力、移動時間算出要求の入力等の操作入力を受ける。また、入力部４３はユーザからの操作入力を受けることが可能であれば、タッチパネルや音声認識による入力方法でも良い。
【００１６】
無線通信部４４は、無線ＬＡＮによりアクセスポイント３から出力されたビーコンを取得する。また、無線通信部４４は、アクセスポイント３を介してサーバ装置１と接続し、目的地までの経路検索情報や移動時間算出情報などの情報を取得する。
【００１７】
外部装置接続部４５は、パーソナルコンピュータ等の外部装置と接続するための接続インタフェース（図示していない）を有し、当該外部装置と情報のやり取りを行う。タイマ４６は、制御部４１の制御の下で経過時間を測定する。アラーム音生成部４７は、制御部４１からの指示を受けてアラーム音データを生成すると共に、生成したアラーム音データをスピーカ４９に出力する。
【００１８】
表示部４８は、液晶ディスプレイ等の画像表示装置であり、画面上に現在位置や目的地への経路検索結果、目的地到着予測時刻、および移動時間等を表示する。また、表示部４８では、再生処理部５０で再生された映像コンテンツデータを表示画面に表示させる。スピーカ４９は、再生処理部５０で再生された音声コンテンツデータ、及びアラーム音生成部４７で生成されたアラーム音データを出力する。再生処理部５０は、例えば符号化されて記憶部４２に格納されたコンテンツデータを復号して表示部４８またはスピーカ４９に出力する。
【００１９】
次に、図３を参照しながら本実施例のアクセスポイント３の構成の構成について説明する。図３は、本実施例のアクセスポイント３の構成を示したブロック図である。本実施例のアクセスポイント３は、制御部３１、記憶部３２、ビーコン生成部３３、無線通信部３４、及びネットワークインタフェース３６等から構成される。
【００２０】
制御部３１は、記憶部３２に記憶されているプログラムに従い、アクセスポイント３の動作制御を行う。記憶部３２は、電気信号の読み込み及び書き込みを行い、制御部３１に作業エリアを提供する記憶装置の主メモリとして利用されるＲＡＭ（図示していない）や、各種プログラム、サーバ装置１から取得した駅情報等を格納するメモリ（図示していない）を備える。
【００２１】
ビーコン生成部３３は、制御部３１の指示の下、無線通信部３４により無線接続した無線通信装置４に対し送信するビーコンを生成する。尚、ここで生成するビーコンのデータ構造に関しては、図４を参照しながら後述する。
【００２２】
無線通信部４４は、無線ＬＡＮにより無線通信装置４と無線接続し、無線通信装置４に対してビーコン生成部３３で生成したビーコンを送信する。ネットワークインタフェースは、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）等により通信が行われるネットワーク網２にアクセスし、サーバ装置１と接続する。
【００２３】
次に、図４を参照して本実施例のアクセスポイント３から送信されるビーコンのデータ構造について説明する。図４は、本実施例のビーコンのデータ構造を示した図である。図４（ａ）は、本実施例のビーコンのデータ構造全体を示した図である。図４（ａ）は、本実施例のビーコンのデータ構造全体を示した図である。図４（ｂ）は、本実施例のＭＡＣ（Ｍｅｄｉａ  Ａｃｃｅｓｓ  Ｃｏｎｔｒｏｌ）ヘッダのデータ構造を示した図である。図４（ｃ）は、本実施例のインフォメーションエレメントのデータ構造を示した図である。図４（ｄ）は、本実施例のユーザデータの構造を示した図である。尚、本実施例のビーコンは例えばＩＥＥＥ８０２．１１の規定のパケットのフォーマットに沿って生成されるものとする。
【００２４】
図４において、送信されるビーコンのパケットは、ＭＡＣヘッダＭＨと、フレームボディＦＢと、フレームチェックＦＣＳ（Ｆｒａｍｅ  Ｃｈｅｃｋ  Ｓｕｍ）とからなる。ＭＡＣヘッダＭＨには、フレーム制御フィールドｆ１等が含まれる。このフレーム制御フィールドｆ１に当該パケットがビーコンであることを示す記述、即ち、先頭から８ビットまで「００００１０００」と記述される。
【００２５】
また、フレームチェックＦＣＳには、伝送されるフレームのエラー確認のためのフレームチェックサムが示される。また、パケットのフレームボディＦＢは、インフォメーションエレメントとユーザデータからなり、インフォメーションエレメントには、タイムスタンプがマイクロ秒単位で記述され、ここでは例えば１００ｍｓ毎にリセットされて繰り返される。
【００２６】
ここで、本実施例のアクセスポイント３では、フレームボディＦＢ内のユーザデータに現在の最寄り駅等に関する情報を書き込む。具体的に、ユーザデータには駅コードと、乗換時刻情報と、到着時刻情報とが書き込まれる。尚、このユーザデータには現在の最寄り駅に関する情報だけではなく、例えば次に到着予定の駅・当該到着予定の駅への到着予定時刻を示した情報等が含まれる。
【００２７】
このように本実施例では、アクセスポイント３からビーコンを取得した無線通信装置４では、当該ビーコン内のユーザデータを参照することで現在の最寄り駅・この最寄り駅の前後の駅、及び乗換時刻と、到着時刻等を示す情報を得ることができる。また、本実施例の無線通信装置４では、アクセスポイント３から定期的に取得したビーコンを参照することでユーザが設定した目的地の周辺エリアに到着したか否か判定することができる。
【００２８】
以下では、図５及び図６を参照しながら、本実施例におけるアラーム音設定について説明する。図５は、本実施例のアラーム設定画面について示した図である。図６は、本実施例のアラーム発生地域について示した図である。尚ここでは、無線通信装置４が鉄道車両内に設置されたアクセスポイント３と無線通信する場合を想定する。
【００２９】
図５に示すように、本実施例の無線通信装置４では表示部４８に表示されたアラーム設定画面に基づき、アラーム音の設定を実行できる。例えば本実施例の表示部４８には目的地となる駅名、乗換えをする駅名、及び目的地・乗換駅到着の何分前にアラーム音を発生させるかを決定するための入力画面が表示される。この画面の入力枠に所望の情報を入力することでユーザは、好適にアラーム設定が可能となる。図５の例では、例えば目的地としてＥ駅が入力され、このＥ駅到着の２分前にアラーム音が発生するように設定された様子を示している。尚、乗換駅及び当該乗換駅到着前に発生させるアラームについての設定はなされていない。
【００３０】
尚、本実施例の無線通信装置４では、アクセスポイント３を介してインターネット上の任意のサーバ（図示していない）と接続することができる。これらのサーバに接続することで、無線通信装置４のユーザは出発駅、現在の時刻、目的地駅等を入力することで所望の路線経路や到着時刻を把握することができる。また、これらの路線経路や到着時刻等を取得する方法においては、外部装置接続部４５により接続された外部装置などから取得する方法であってもよい。また、本実施例の無線通信装置４では、インターネット上のサーバや外部装置等から路線経路や到着時刻に関する情報を取得する場合、ユーザが選択した経路と同一の経路であって、選択された到着時間の前後２本程度の時刻情報を取得しても良い。これにより、仮にユーザが予定していた電車やバス等に乗り過ごした場合であっても自装置に記憶された情報を参照することで、インターネット上のサーバや外部装置等に再び接続することなく時刻調整ができる。
【００３１】
本実施例のアクセスポイント３は、サーバ装置１から取得した駅情報を含むビーコンを生成して無線通信装置４に定期的に送信する。無線通信装置４では、このビーコンに含まれる駅情報を参照することで現在位置（最寄り駅）を把握することができる。
【００３２】
また、このビーコンには現在の最寄り駅に関する情報だけではなく、例えば次に到着予定の駅・当該到着予定の駅への到着予定時刻を示した情報が含まれていてもよい。これにより、本実施例の無線通信装置４では、次に到着予定の駅が目的地に設定された駅であるか否か判定できると共に、目的地までの残りの到着時間を計測することが可能となる。
【００３３】
更に図６に示すように、本実施例では、例えば目的地として設定された駅と目的地手前の駅との間をアラーム発生地域と設定することができる。このアラーム発生地域を設定することで、仮にアラーム音開始時間に関する入力を行っていない場合であっても、目的地手前の駅を通過した後にアラーム音を発生させることができ、ユーザに下車を促すことができる。
【００３４】
また、本実施例の無線通信装置４では、コンテンツデータの再生中にアラーム音を出力する場合、再生中のコンテンツデータの出力音量を下げる、或いはコンテンツデータの再生を停止することにより、アラーム音を強調させる機能を有する。
【００３５】
次に図７を参照しながら、本実施例における目的地設定から目的地到着までの無線通信装置４の処理の流れを説明する。図７は、本実施例における目的地設定から目的地到着までの無線通信装置４の処理の流れを示すフローチャートである。
【００３６】
まず、無線通信装置４では、目的地及びアラーム音のタイマに関する設定処理がなされる（Ｓ１０１）。次に無線通信装置４の無線通信部４４は、アクセスポイント３からのビーコンを定期的に受信する（Ｓ１０２）。ビーコンが受信された場合、制御部４１はビーコンに含まれる情報を読み出し、現在位置が目的地の１つ前の駅であるか否か判定する（Ｓ１０３）。現在位置が目的地の１つ前の駅ではない場合（Ｓ１０３のＮｏ）、制御部４１はＳ１０２に処理を戻す。
【００３７】
Ｓ１０３において、現在位置が目的地の１つ前の駅であると判定された場合（Ｓ１０３のＹｅｓ）、制御部４１はアラーム音のタイマ設定がＳ１０１でなされていたか否か確認する（Ｓ１０４）。タイマが設定されていない場合（Ｓ１０４のＮｏ）、制御部４１は処理をＳ１０７に移す。
【００３８】
一方、タイマが設定されていた場合（Ｓ１０４のＹｅｓ）、制御部４１は、タイマ４６に現在位置が目的地の１つ前の駅である旨の情報を受けてから経過した時間のカウントをさせる（Ｓ１０５）。ここで、制御部４１はタイマ４６のカウントが終了したか否か定期的に確認する（Ｓ１０６）。カウント継続中の場合（Ｓ１０６のＮｏ）、制御部４１はＳ１０６の処理を繰り返す。
【００３９】
Ｓ１０６において、タイマ４６のカウントが終了した場合（Ｓ１０６のＹｅｓ）、制御部４１は、現在コンテンツデータの再生がなされているか否か確認する（Ｓ１０７）。コンテンツデータが再生されていない場合（Ｓ１０７のＮｏ）、制御部４１は処理をＳ１０９に移す。
【００４０】
一方、現在コンテンツデータの再生中であれば（Ｓ１０７のＹｅｓ）、制御部４１はコンテンツデータの出力音量を下げる、或いはコンテンツデータの再生を停止させてスピーカからの出力音量の制御を図ると共に（Ｓ１０８）、アラーム音を発生させ（Ｓ１０９）、処理を終える。
【００４１】
以上説明したように、本実施例では、目的地までの移動に関するユーザの利便性を向上させることのできる無線通信装置を提供することができる。
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００４２】
【図１】本発明の実施形態に係る無線通信装置を含む無線通信システムの構成を示すブロック図である。
【図２】本実施例の無線通信装置の構成を示したブロック図である。
【図３】本実施例のアクセスポイントの構成を示したブロック図である。
【図４】本実施例のビーコンのデータ構造を示した図である。
【図５】本実施例のアラーム設定画面について示した図である。
【図６】本実施例のアラーム発生地域について示した図である。
【図７】本実施例における目的地設定から目的地到着までの無線通信装置４の処理の流れを示すフローチャートである。
【符号の説明】
【００４３】
１  サーバ装置
２  ネットワーク網
３  アクセスポイント
４  無線通信装置
３１、４１  制御部
３２、４２  記憶部
３３  ビーコン生成部
３４、４４  無線通信部
３５  ネットワークインタフェース
４３  入力部
４５  外部装置接続部
４６  タイマ
４７  アラーム音生成部
４８  表示部
４９  スピーカ
【図１】
2010081412.tif 000003
【図２】
2010081412.tif 000004
【図３】
2010081412.tif 000005
【図４】
2010081412.tif 000006
【図５】
2010081412.tif 000007
【図６】
2010081412.tif 000008
【図７】
2010081412.tif 000009